(57)【特許請求の範囲】
【請求項１】
レンズを保持するレンズ枠が固定筒内に配置され、前記固定筒に対しカム筒がその軸線回りに相対回転させられて、前記固定筒に対し前記レンズ枠が前記レンズの光軸に沿って相対移動させられることでピント調節を行なうレンズ鏡筒において、
ピント距離を表示する目盛が設けられた距離表示部材と、
前記カム筒と同軸に設けられ、前記固定筒に対し前記軸線回りに相対回転可能にして固定されると共に、前記カム筒に対し前記軸線回りに相対回転可能に係合しているリング部材であって、前記固定筒に対する前記カム筒の相対回転の角度範囲を制限するストッパを有するリング部材と、を備え、
前記距離表示部材は、前記カム筒の外周面に対し、前記軸線方向に相対移動不能且つ前記軸線回りに相対回転可能に係合し、前記距離表示部材は、周方向の一部が切り欠かれたような環状を呈し、前記距離表示部材において周方向一端から周方向他端までの間の周方向角度は、１８０°よりも大きく、
前記カム筒及び前記リング部材には、前記カム筒と前記リング部材とを互いに同期回転可能にするための同期回転部がそれぞれ設けられていることを特徴とするレンズ鏡筒。
【請求項２】
前記同期回転部は、前記カム筒の前記外周面に形成された孔と、当該孔に連通可能に前記リング部材の外周面に形成された貫通溝又は貫通孔と、を有することを特徴とする請求項１記載のレンズ鏡筒。
【請求項３】
前記カム筒と前記リング部材との相対回転の角度に基づいて、前記ピント距離を電気信号として検出するエンコーダを備え、
前記エンコーダは、前記リング部に設けられた基板と、前記カム筒に設けられ当該基板に当接する接片と、を有することを特徴とする請求項１又は２記載のレンズ鏡筒。
【発明の詳細な説明】
【技術分野】
【０００１】
本発明は、ピント調整機能を有するレンズ鏡筒に関する。
【背景技術】
【０００２】
従来のレンズ鏡筒としては、レンズを保持するレンズ枠が固定筒内に配置され、固定筒に対しカム筒がその軸線回りに相対回転させられて、固定筒に対しレンズ枠がレンズの光軸に沿って相対移動させられることでピント調節を行なうものが知られている（例えば、特許文献１参照）。このようなレンズ鏡筒は、ピント距離を表示する目盛が設けられた距離表示部材を備えている。
【特許文献１】特開２０００−２２７５３８号公報
【発明の開示】
【発明が解決しようとする課題】
【０００３】
ところで、上述したようなレンズ鏡筒では、例えば、フランジバック調整等のピント距離の調整を行なう工程において、距離表示部材の目盛が示すピント距離と、レンズのピント距離（実際のピント距離）と、を互いに一致させる調整が実施される。この場合、レンズ枠とレンズと間にシムを介在させたり、既に介在されたシムを薄いものに代えたりすることにより、レンズのレンズ枠に対する光軸方向位置を調整し、目盛が示すピント距離にレンズのピント距離を一致させることが一般的である。よって、レンズ鏡筒を分解してレンズ枠を取り出すことが必要となり、ピント距離の調整工程の作業効率が低下してしまう。
【０００４】
そこで、本発明は、ピント距離の調整工程における作業効率を向上させることができるレンズ鏡筒を提供することを課題とする。
【課題を解決するための手段】
【０００５】
上記課題を達成するために、本発明に係るレンズ鏡筒は、レンズを保持するレンズ枠が固定筒内に配置され、固定筒に対しカム筒がその軸線回りに相対回転させられて、固定筒に対しレンズ枠がレンズの光軸に沿って相対移動させられることでピント調節を行なうレンズ鏡筒において、ピント距離を表示する目盛が設けられた距離表示部材と、カム筒と同軸に設けられ、固定筒に対し軸線回りに相対回転可能にして固定されると共に、カム筒に対し軸線回りに相対回転可能に係合しているリング部材であって、固定筒に対するカム筒の相対回転の角度範囲を制限するストッパを有するリング部材と、を備え、距離表示部材は、カム筒の外周面に対し、軸線方向に相対移動不能且つ軸線回りに相対回転可能に係合し、距離表示部材は、周方向の一部が切り欠かれたような環状を呈し、距離表示部材において周方向一端から周方向他端までの間の周方向角度は、１８０°よりも大きく、カム筒及びリング部材には、カム筒とリング部材とを互いに同期回転可能にするための同期回転部がそれぞれ設けられていることを特徴とする。
【０００６】
このレンズ鏡筒では、距離表示部材が、カム筒の外周面に対し、軸線方向に相対移動不能且つ軸線回りに相対回転可能に係合されている。よって、このレンズ鏡筒において、ピント距離の調整を行う際には、例えば、まず、カム筒を相対回転してレンズ枠を光軸方向に移動させ、レンズのピント距離を無限遠に合わせる。そして、この状態で、距離表示部材を相対回転して、目盛のピント距離を無限遠に合わせる。これにより、目盛が示すピント距離とレンズのピント距離とが、無限遠に合致することになる。つまり、ピント距離を調整するに際し、カム筒を相対回転してレンズのピント位置を調整でき、目盛が示すピント距離とレンズのピント距離とを、レンズ鏡筒を分解することなく互いに合致させることが可能となる。従って、本発明のレンズ鏡筒によれば、ピント距離の調整工程における作業効率を向上させることが可能となる。
【０００７】
また、距離表示部材は、周方向の一部が切り欠かれたような環状を呈し、距離表示部材
において周方向一端から周方向他端までの間の周方向角度は、１８０°よりも大きい。この場合、距離表示部材がカム筒に径方向離脱不能に係合することになるため、ピント距離を調整する際に距離表示部材を好適に相対回転することができる。よって、ピント距離の調整工程における作業効率を一層向上させることが可能となる。
【０００９】
ところで、通常、ピント距離が無限遠の状態から、無限遠オーバー側でストッパが作用するまでの間にカム筒が相対回転する角度（以下、「オーバーストローク量」という）は、一定に設定される場合が多い。ここで、本発明のレンズ鏡筒では、レンズのピント距離を調整する際、同期回転部でカム筒とリング部材とを同期回転可能にしてカム筒を相対回転することにより、ピント距離に対するストッパの位置関係を一定に保ちつつカム筒が相対回転され、レンズのピント距離が調整され、そして、リング部材が固定筒に固定される。よって、オーバーストローク量を一定に保ちつつレンズのピント距離を調整することが可能となる。すなわち、カム筒を相対回転してレンズのピント位置を調整する際、ピント距離に対するストッパの位置関係が変化するのを抑制することができ、オーバーストローク量が変化するのを抑制することが可能となる。
【００１０】
このとき、同期回転部は、カム筒の外周面に形成された孔と、当該孔に連通可能にリング部材の外周面に形成された貫通溝又は貫通孔と、を有することが好ましい。この場合、カム筒の孔とリング部材の貫通溝又は貫通孔とを互いに連通する状態とし、これらに例えばピン等の棒状体を挿通することで、カム筒とリング部材とが互いに同期回転可能となる。
【００１１】
また、カム筒とリング部材との相対回転の角度に基づいて、ピント距離を電気信号として検出するエンコーダを備え、エンコーダは、リング部に設けられた基板と、カム筒に設けられ当該基板に当接する接片と、を有することが好ましい。この場合、レンズのピント距離を調整する際、上記の同期回転部によりカム筒とリング部材とを同期回転可能な状態にし、この状態でカム筒を相対回転することで、基板上の接片の位置をそのままにしてレンズのピント距離が調整されることになる。よって、ピント距離を調整するに際し、カム筒を相対回転してレンズのピント位置を調整でき、エンコーダにより検出されたピント距離とレンズのピント距離とを、レンズ鏡筒を分解することなく互いに一致させることが可能となる。
【発明の効果】
【００１２】
本発明によれば、ピント距離の調整工程における作業効率を向上させることが可能となる。
【発明を実施するための最良の形態】
【００１３】
以下、添付図面を参照して、本発明の好適な実施形態について詳細に説明する。なお、以下の説明において同一又は相当要素には同一符号を付し、重複する説明を省略する。
【００１４】
図１は本発明の一実施形態に係るレンズ鏡筒を示す斜視図である。図１に示すように、レンズ鏡筒１は、例えばカメラの超望遠系の交換レンズとして用いられるものであり、内部に複数枚のレンズを備えている。
【００１５】
レンズ鏡筒１は、アクチュエータ（例えば超音波モータ等）でピント調整を行なうオートフォーカス（ＡＦ）機能と、フォーカスリング２を回転させることでピント調整を行なうマニュアルフォーカス（ＭＦ）機能と、を共に有している。さらに、レンズ鏡筒１には、ピント距離を視認可能に表示するためのピント距離表示部３が設けられている。
【００１６】
図２はレンズ鏡筒の要部を示す縦断面図、図３はレンズ鏡筒の要部を示す斜視図、図４はレンズ鏡筒の要部を示す分解斜視図である。図２に示すように、レンズ鏡筒１のピント距離表示部３周辺の内部には、固定筒１０、レンズ保持筒（レンズ枠）２０、カム筒３０、エンコーダベース（リング部材）４０及び距離表示筒（距離表示部材）５０が設けられている。
【００１７】
固定筒１０は、段付き円筒状に構成されており、その外形は、前側（被写体側、図において左側）に行くに従って段階的に拡径されている。具体的には、固定筒１０は、後側（カメラ側、図において右側）の小径部１１と、段差部１２を介してこれより前側の大径部１３とを備えている。
【００１８】
大径部１３には、図４に示すように、その前端にフランジ部１５が設けられている。このフランジ部１５の外周面の周方向に沿う三等配の位置には、エンコーダベース４０を固定するためのものとして、周方向に延在する長孔１６が形成されている。大径部１３の外周面において周方向に沿う三等配の位置には、レンズ保持筒２０の移動をガイドするためのものとして、軸線方向に沿って延在するガイド溝１８が形成されている。
【００１９】
また、図２に示すように、大径部１３の外周面の前端部には、ローラベアリング１７が取り付けられている。固定筒１０の内径は、外径にならうように、前側に行くに従って段階的に拡径されている。段差部１２の径方向内側の端部には、前側に突出する環状凸部１４が設けられている。これにより、小径部１１の内周面は、環状凸部１４の突出高さに応じて、前側に拡張されている。
【００２０】
レンズ保持筒２０は、その内周面にレンズ郡６０の外周面が当接されている。また、レンズ保持筒２０の後端には、径方向内側に突出する環状爪部２１が形成されており、この環状爪部２１とレンズ保持筒２０の内周面に螺合されたレンズ押えリング２２とで、レンズ郡６０が軸線方向に挟持されている。これにより、レンズ保持筒２０は、その軸線とレンズ郡６０の光軸Ｌとを同軸に当該レンズ郡６０を保持する。
【００２１】
また、図４に示すように、レンズ保持筒２０の前端部には、フランジ部２３が形成されている。このフランジ部２３の外周面において周方向に沿う三等配の位置には、ピン２４が径方向外側に突出するように設けられている。フランジ部２３の後面には、固定筒１０の環状凸部１４との干渉を回避するためのものとして（環状凸部１４の逃げとして）、後方に開口する環状凹部２５が形成されている。また、レンズ保持筒２０の外周面には、固定筒１０に摺動可能に当接するためのものとして、環帯状の第１摺動部２６及び第２摺動部２７が形成されている。これらの摺動部２６，２７は、摩擦軽減のために鏡面状とされている。
【００２２】
そして、このレンズ保持筒２０においては、図２に示すように、固定筒１０と同軸に当該固定筒１０に内挿され、第１摺動部２６が固定筒１０の小径部１１の内周面に当接されると共に、第２摺動部２７が固定筒１０の大径部１３の内周面に当接されている。加えて、図示されていないが、レンズ保持筒２０のピン２４が、固定筒１０のガイド溝１８に挿通されている。これにより、レンズ保持筒２０は、光軸Ｌ方向に沿って摺動可能（移動可能）とされている。なお、レンズ保持筒２０の前側には、レンズ郡６０の遮光性を高めるため、環状の遮光移動枠２８が同軸に取り付けられている。
【００２３】
カム筒３０は、レンズ保持筒２０を光軸Ｌ方向に沿って移動させるためのものである。カム筒３０の内周面には、図４に示すように、螺旋状のカム溝３１が形成されている。カム筒３０の外周面の軸線方向中央には、距離表示筒５０を装着するための環状凹部３２が設けられている。このカム筒３０の外周面の環状凹部３２より前側には、エンコーダベース４０と同期回転可能にするための孔（同期回転部）３３が形成されている。
【００２４】
また、カム筒３０は、その前側にフランジ部３４を有している。このフランジ部３４の外周面の前端には、径方向外側に突出する円弧状凸部３５が設けられている。一方、図２に示すように、フランジ部３４の内周面には、環状凹部３６が形成されている。
【００２５】
そして、このカム筒３０においては、固定筒１０と同軸に当該固定筒１０に外挿され、固定筒１０の外周面に当接されている。これと共に、フランジ部３４の環状凹部３６内にローラベアリング１７が収容されて嵌合されている。これにより、カム筒３０は、固定筒１０に対し軸線回りに相対回転可能且つ軸線方向に移動不能とされている。
【００２６】
加えて、カム溝３１に、固定筒１０のガイド溝１８を挿通したピン２４が摺動可能に係合されている。これにより、カム筒３０を固定筒１０に対して相対回転することで、カム溝３１とガイド溝１８とが協働し、レンズ保持筒２０が光軸方向に沿って移動される。なお、カム筒３０の後端面には、アクチュエータ（不図示）が接続され、これにより、カム筒３０は、アクチュエータによっても相対回転可能とされている。
【００２７】
エンコーダベース４０は、環状を呈している。このエンコーダベース４０の外周面には、図４に示すように、カム筒３０と同期回転可能にするためものとして、前面から後面に至る貫通溝（同期回転部）４１が形成されている。また、図２に示すように、エンコーダベース４０の前面の所定位置には、固定筒１０に対するカム筒３０の相対回転の角度範囲を制限するものとして、軸線方向に突出するストッパ４３が設けられている。
【００２８】
そして、このエンコーダベース４０においては、固定筒１０と同軸に当該固定筒１０に装着され、カム筒３０に対し軸線回りに相対回転可能とされている。さらに、エンコーダベース４０とカム筒３０とを相対回転することで、カム筒３０の孔３３及びエンコーダベース４０の貫通溝４１が互いに連通するように構成されている。
【００２９】
加えて、エンコーダベース４０は、図３に示すように、固定筒１０のフランジ部１５の長孔１６を介して、当該固定筒１０に螺子８１で固定されている。つまり、エンコーダベース４０は、固定筒１０に対して軸線回りに相対回転可能にして固定されている。さらに、このようにエンコーダベース４０が固定筒１０に固定されることで、カム筒３０を固定筒１０に対して所定角度相対回転したときに、エンコーダベース４０のストッパ４３とカム筒３０の円弧状凸部３５の周方向端面とが周方向に係合する。つまり、カム筒３０の固定筒１０に対する相対回転の角度範囲が制限されている。
【００３０】
ここでは、カム筒３０の孔３３及びエンコーダベース４０の貫通溝４１が互いに連通する状態から、レンズ保持筒２０が前側に移動する方向（レンズのピント距離を無限遠に近づける方向）にカム筒３０を一定角度だけ相対回転したときに、ストッパ４３が作用するように構成されている。この一定角度は、オーバーストローク量の仕様値（例えば、５°）とされている。なお、オーバーストローク量とは、温度等の周囲雰囲気によるレンズ郡６０のピント距離（以下、単に「レンズピント距離」という）の変化に対応すべく設定されるものである。
【００３１】
距離表示筒５０は、ピント距離を表示するためのものである。この距離表示筒５０は、可撓性を有する材料（例えば、樹脂等）により形成されている。図５に示すように、距離表示筒５０は、周方向の一部が切り欠かれたような環状（軸線方向視においてＣ字状）を呈している。また、距離表示筒５０は、目盛部５１と、当該目盛部５１の前側に段差部５７を介して連設され目盛部５１より小径の取付部５２と、を含んで構成されている。
【００３２】
図５は距離表示筒を示す斜視図、図６は距離表示筒を示す平面図、図７は距離表示筒を示す正面図である。目盛部５１は、ピント距離表示部３（図１参照）を介して外部に露出される部分であり、この目盛部５１の外周面には、ピント距離を表示する目盛５３が周方向に沿って形成されている。取付部５２は、カム筒３０に取り付けるための部分であり、カム筒３０と略等しい径とされている。この取付部５２の外周面には、図６に示すように、カム筒３０の外周面に相対回転可能にして固定するためのものとして、周方向に沿って延在する長孔５４が形成されている。また、取付部５２の外周面には、後述の調整ピン８４を挿入するためのボス５６が形成されている。図７に示すように、この取付部５２の周方向の一端５２ｅから他端５２ｆまでの間の周方向角度は、１８０°よりも大きくなっている。
【００３３】
そして、この距離表示筒５０においては、図２に示すように、カム筒３０と同軸に当該カム筒３０に外挿され、カム筒３０の環状凹部３２に、取付部５２が嵌合するように装着されている。これにより、距離表示筒５０は、カム筒３０の外周面に対し、軸線方向に相対移動不能且つ軸線回りに相対回転可能に係合すると共に、カム筒３０に径方向離脱不能に係合する。加えて、距離表示筒５０は、取付部５２の長孔５４を介して、固定筒１０の外周面に例えば螺子で固定されている。
【００３４】
ちなみに、距離表示筒５０は、上記のように、可撓性を有する材料で形成され且つ周方向の一部が切り欠かれたような環状を呈していることから、取付部５２の一端５２ｅと他端５２ｆとの隙間が拡がるように撓ませることで、カム筒５０に好適に着脱可能となっている。
【００３５】
また、レンズ鏡筒１は、エンコーダ７０を備えている。エンコーダ７０は、図３に示すように、基板７１と当該基板７１に当接する接片７２とを有している。このエンコーダ７０は、基板７１上の接片７２の位置に応じて検出される信号パターンからピント距離を電気信号として検出する。つまり、カム筒３０とエンコーダベース４０との相対回転の角度に基づいてピント距離を電気信号として検出する。
【００３６】
基板７１は、エンコーダベース４０の後面において、周方向に沿う所定部分に固定されている。接片７２は、図１２に示すように、長孔７３を有している。この接片７２は、長孔７３がカム筒３０の周方向に沿うようにしてカム筒３０の外周面に当接され、そして、長孔７３を介して螺子で固定されている。
【００３７】
次に、レンズ鏡筒１のピント距離の調整を行なう工程の一例として、ピント距離を無限遠に調整する工程（いわゆるフランジバック調整）について説明する。
【００３８】
まず、エンコーダベース４０に対しカム筒３０を相対回転し、図８及び図９に示すように、エンコーダベース４０の貫通溝４１とカム筒３０の孔３３とが連通する状態とする。なお、カム筒３０の相対回転は、フォーカスリング２を相対回転する（ＭＦ機能）ことで実現してもよいし、アクチュエータを駆動する（ＡＦ機能で）ことで実現してもよい。これについては、以下の説明において同様である。
【００３９】
続いて、図１０に示すように、フォーカスリング２に設けられたハッチ４から、貫通溝４１と孔３３とに調整ピン８２を挿入する。これにより、図１１に示すように、エンコーダベース４０とカム筒３０とが、調整ピン８２を介して相対回転不能に連結されることになる。すなわち、エンコーダベース４０とカム筒３０とは、同期回転（共回り）が可能とされる。
【００４０】
続いて、この調整ピン８２を挿入した状態で、図１２に示すように、接片７２の長孔７３により基板７１上の接片７２の周方向位置を調整し、エンコーダ７０にて検出される電気信号としてのピント距離（以下、「電気信号ピント距離」という）を無限遠に合わせる。そして、この状態で、接片７２をカム筒３０に螺子８３で固定する。このとき、孔３３及び貫通溝４１の連通状態（調整ピン８２挿入状態）からストッパ４３の作用までのカム筒３０の相対回転角度がオーバーストローク量の仕様値とされているため、オーバーストローク量を仕様値に合わせた状態で電気信号ピント距離が無限遠に合うことになる。
【００４１】
続いて、調整ピン８２を挿入した状態でカム筒３０を相対回転し、エンコーダベース４０を同期回転させると共にレンズ保持筒２０を光軸に沿って移動させ、レンズ郡６０の光軸方向の位置を調整し、レンズピント距離を無限遠に合わせる。なお、ここでの、カム筒３０の相対回転は、調整ピン８２を相対回転することで実現してもよい。
【００４２】
具体的には、図１７に示すように、前方より平行光Ｐを入射し、例えばフィルムや撮像素子からなるピント面Ｓの結像状態を観察しながらカム筒３０を相対回転し、結像状態の点像が最も小さくなるようにレンズ保持筒２０を光軸に沿って移動させる。入射光が平行光Ｐであることから、このときのレンズピント距離が無限遠となる。
【００４３】
そして、この状態で、図１３に示すように、フォーカスリング２に設けられたハッチ７からドライバ等を挿入し、エンコーダベース４０を、固定筒１０の長孔１６を介して当該固定筒１０に螺子８１で固定する。このとき、カム筒３０とエンコーダベース４０とが同期回転されているため、オーバーストローク量が仕様値で、且つ電気信号ピント距離が無限遠に合った状態において、レンズピント距離が無限遠に合うことになる。
【００４４】
続いて、図１４及び１５に示すように、フォーカスリング２に設けられたハッチ５から、距離表示筒５０におけるボス５６の孔に調整ピン８４を挿入する。この調整ピン８４により、距離表示筒５０をカム筒３０に対して相対回転し、距離表示筒５０の周方向位置を調整し、目盛部５１の目盛５３を無限遠に合わせる。
【００４５】
そして、図１６に示すように、フォーカスリング２に設けられたハッチ６からドライバ等を挿入し、距離表示筒５０をカム筒３０に螺子等で固定する。これにより、オーバーストローク量が仕様値で、且つ電気信号ピント距離及びレンズピント距離が無限遠に合った状態において、目盛５３が無限遠を示すことになる。つまり、オーバーストローク量を仕様値に保ちつつ、電気信号ピント距離とレンズピント距離と目盛５３との何れもが無限遠に合致する。
【００４６】
以上、レンズ鏡筒１によれば、ピント距離を調整する際、固定筒１０に対してカム筒３０を相対回転してレンズピント位置を調整することができ、レンズピント距離と距離表示筒５０の目盛５３とを、レンズ鏡筒１を分解することなく互いに一致させることができる。従って、ピント距離の調整工程における作業効率を向上させることができる。また、ピント距離を調整する際に、レンズ鏡筒１を分解することが不要となることから、分解・組立時に塵や埃等がレンズ鏡筒１内に混入することが抑制され、レンズ鏡筒１の信頼性をも向上させることができる。
【００４７】
また、レンズ鏡筒１では、上述したように、距離表示筒５０が、周方向の一部が切り欠かれたような環状を呈し、その周方向一端から周方向他端までの間の周方向角度が、１８０°よりも大きいことから、距離表示筒５０をカム筒３０に径方向離脱不能に係合させることができる。よって、ピント距離を調整するに際し距離表示筒５０を好適に相対回転することができ、ピント距離の調整工程の作業効率を一層向上させることができる。
【００４８】
ここで、従来のレンズ鏡筒では、カム筒３０を固定筒１０に対して相対回転してレンズピント距離を調整すると、カム筒３０と固定筒１０に固定されたストッパ４３との位置関係が変化することから、レンズピント距離に対するストッパ４３の位置関係が変化してしまう。よって、オーバーストローク量が一定に保たれないおそれがある。
【００４９】
これに対し、レンズ鏡筒１では、上述したように、レンズピント距離を調整する際、カム筒３０の孔３３とエンコーダベース４０の貫通溝４１とに調整ピン８２が挿通され、カム筒３０とエンコーダベース４０とが互いに同期回転可能とされている。そして、この状態において、カム筒３０を相対回転することにより、ピント距離に対するストッパ４３の位置関係を一定に保ちつつカム筒３０が相対回転させ、レンズピント距離を調整し、その後、エンコーダベース４０が固定筒１０に固定している。よって、オーバーストローク量を一定に保ちつつレンズピント距離を調整することが可能となる。すなわち、カム筒３０を相対回転してレンズピント位置を調整する際、ピント距離に対するストッパ４３の位置関係が変化するのを抑制することができ、オーバーストローク量が変化するのを抑制することができる。
【００５０】
また、レンズ鏡筒１では、上述したように、エンコーダ７０の基板７１がエンコーダベース４０に設けられ、基板７１に当接する接片７２がカム筒３０に設けられている。よって、カム筒３０を相対回転してレンズピント距離を調整する際、カム筒３０の孔３３とエンコーダベース４０の貫通溝４１とに調整ピン８２を挿通し、カム筒３０とエンコーダベース４０とを互いに同期回転可能とすることで、基板７１上の接片７２の位置をそのままにしてレンズピント距離を調整することができる。その結果、ピント距離を調整するに際し、カム筒３０を相対回転してレンズピント位置を調整することができ、エンコーダ７０により検出された電気信号ピント距離とレンズピント距離とを、レンズ鏡筒１を分解することなく互いに一致させることができる。
【００５１】
ところで、一般的に、レンズ鏡筒１では、レンズ郡６０の光軸方向の円滑な移動を実現するために、レンズ保持筒２０と固定筒１０との摺動部２６，２７には一定以上の面積が必要とされる。よって、最適設計とされた現状のレンズ保持筒２０においては、その軸線方向における寸法を小さくすることは困難である。また、摺動部２６，２７が鏡面状であることから、レンズ郡６０の移動時に摺動部２６，２７が露出すると、入射する光が摺動部２６，２７にて反射してしまい、撮影に悪影響が及ぶおそれがある。よって、摺動部２６，２７を形成可能な範囲が制限されてしまう。従って、従来、限られた空間内でレンズ郡６０の光軸方向に沿った移動可能距離を増加させることは困難とされていた。  
【００５２】
この点、レンズ鏡筒１では、上述したように、固定筒１０に環状凸部１４を設けて小径部１１の内周面を前側に拡張することで、レンズ郡６０の移動可能距離を増加している。そして、レンズ保持筒２０のフランジ部２３の後面に環状凹部２５を形成している。よって、レンズ保持筒２０の後進限時において、環状凹部２５に環状凸部１４が進入し、環状凹部２５と環状凸部１４との干渉が回避される。その結果、第２摺動部２７の面積を一定以上確保しつつ、レンズ郡６０の移動可能距離を増加することができるのに加え、第２摺動部２７が露出するのを防止することが可能となる。
【００５３】
従って、限られた空間内でレンズ郡６０の光軸に沿った移動可能距離を増加させることができる。特に、ピント距離を調整する工程においてカム筒３０を相対回転させる場合には、レンズ郡６０の移動可能距離にピント距離を調整するための領域が形成されることになり、この効果は顕著となる。なお、これらの環状凹部２５と環状凸部１４とは、従来のレンズ鏡筒１にも勿論適用可能である。
【００５４】
以上、本発明の好適な実施形態について説明したが、本発明は、上記実施形態に限定されるものではない。
【００５５】
例えば、上記実施形態では、エンコーダベース４０に貫通溝４１を形成したが、貫通孔であってもよい。また、上記実施形態は、ＡＦ機能及びＭＦ機能を共に有するが、いずれか一方の機能を有していればよい。
【００５６】
また、上記実施形態は、オーバーストローク量を設定すべくストッパ４３を備えたが、ストッパ４３を備えない場合もある。また、ピント距離を電気信号として検出すべくエンコーダ７０を備えたが、エンコーダ７０を備えない場合もある。
【図面の簡単な説明】
【００５７】
【図１】本発明の一実施形態に係るレンズ鏡筒を示す斜視図である。
【図２】レンズ鏡筒の要部を示す縦断面図である。
【図３】レンズ鏡筒の要部を示す斜視図である。
【図４】レンズ鏡筒の要部を示す分解斜視図である。
【図５】距離表示筒を示す斜視図である。
【図６】距離表示筒を示す平面図である。
【図７】距離表示筒を示す正面図である。
【図８】レンズ鏡筒のピント距離の調整を行なう工程を説明するための図である。
【図９】図８の状態におけるレンズ鏡筒の要部を示す図である。
【図１０】レンズ鏡筒のピント距離の調整を行なう工程を説明するための図８の後続の図である。
【図１１】図１０の状態におけるレンズ鏡筒のフォーカスリング内側を示す図である。
【図１２】レンズ鏡筒のピント距離の調整を行なう工程を説明するための図１０の後続の図である。
【図１３】レンズ鏡筒のピント距離の調整を行なう工程を説明するための図１２の後続の図である。
【図１４】レンズ鏡筒のピント距離の調整を行なう工程を説明するための図１３の後続の図である。
【図１５】図１４の状態におけるレンズ鏡筒のフォーカスリング内側を示す図である。
【図１６】レンズ鏡筒のピント距離の調整を行なう工程を説明するための図１４の後続の図である。
【図１７】レンズのピント距離を無限遠に合わせる工程におけるレンズ鏡筒の概略構成図である。
【符号の説明】
【００５８】
１…レンズ鏡筒、１０…固定筒、２０…レンズ保持筒（レンズ枠）、３０…カム筒、３３…孔（同期回転部）、４０…エンコーダベース（リング部材）、４１…貫通溝（同期回転部）、４３…ストッパ、５０…距離表示筒（距離表示部材）、５３…目盛、６０…レンズ、７０…エンコーダ、７１…基板、７２…接片、Ｌ…レンズの光軸。
【図１】
0004880543.tif 000002
【図２】
0004880543.tif 000003
【図３】
0004880543.tif 000004
【図４】
0004880543.tif 000005
【図５】
0004880543.tif 000006
【図６】
0004880543.tif 000007
【図７】
0004880543.tif 000008
【図８】
0004880543.tif 000009
【図９】
0004880543.tif 000010
【図１０】
0004880543.tif 000011
【図１１】
0004880543.tif 000012
【図１２】
0004880543.tif 000013
【図１３】
0004880543.tif 000014
【図１４】
0004880543.tif 000015
【図１５】
0004880543.tif 000016
【図１６】
0004880543.tif 000017
【図１７】
0004880543.tif 000018